(57)【要約】【課題】モータジェネレータの軸上のプーリに巻き掛けられたベルトに張力を付与するベルトテンショナを備えたベルト伝動システムにおいて、ベルトテンショナの搭載性を向上させる。【解決手段】ベルトテンショナ９は、回生側テンショナプーリ５と、力行側テンショナプーリ４とを有する。回生側テンショナプーリ５は、ＭＧプーリ３と同一の回転軸を有するテンショナプーリ支持部６を中心に揺動可能であって、ベルト７の循環方向においてＭＧプーリ３の上流に配置され、ＭＧの回生時にベルト７を張る。力行側テンショナプーリ４は、テンショナプーリ支持部６を中心に揺動可能であって、ベルト７の循環方向においてＭＧプーリ３の下流に配置され、ＭＧの力行時にベルト７を張る。本発明においては、力行側テンショナプーリ４の径は回生側テンショナプーリ５の径よりも小さくされる。【選択図】図１
2020045990.tif 000002
【特許請求の範囲】
【請求項１】
モータジェネレータの軸上に取り付けられたＭＧプーリと、
前記ＭＧプーリを含む複数のプーリの周りに巻き掛けられたベルトと、
前記ＭＧプーリに巻き掛けられた前記ベルトに張力を付与するベルトテンショナと、を備えるベルト伝動システムにおいて、
前記ベルトテンショナは、
前記ＭＧプーリと同一の回転軸を中心に揺動可能であって、前記ベルトの循環方向において前記ＭＧプーリの上流に配置され、前記モータジェネレータの回生時に前記ベルトを張る回生側テンショナプーリと、
前記回転軸を中心に揺動可能であって、前記ベルトの循環方向において前記ＭＧプーリの下流に配置され、前記モータジェネレータの力行時に前記ベルトを張る力行側テンショナプーリと、を有し、
前記力行側テンショナプーリの径は、前記回生側テンショナプーリの径よりも小さい
ことを特徴とするベルト伝動システム。
【発明の詳細な説明】
【技術分野】
【０００１】
本発明は、ベルト伝動システムに関する。
【背景技術】
【０００２】
特許文献１には、ベルトに張力を付与するベルトテンショナを備えたベルト伝動システムが開示されている。このベルトテンショナは、モータジェネレータの軸上のプーリに巻き掛けられたベルトの外周面を、モータジェネレータの軸と同一の回転軸を中心に揺動可能な第１テンショナプーリと第２テンショナプーリとで押圧するように構成されている。第１テンショナプーリと第２テンショナプーリは、部品種類を減らすために同じ型のプーリが用いられることが一般的であり、より厳しい耐久性が要求されるほうに合わせて設計される。
【先行技術文献】
【特許文献】
【０００３】
【特許文献１】特開２０１７−０８９６０９号公報
【発明の概要】
【発明が解決しようとする課題】
【０００４】
上記のベルト伝動システムでは、モータジェネレータの動作時、第１テンショナプーリと第２テンショナプーリとが回転軸を中心に振れ回る。このため、他の部品にこれらテンショナプーリが当たらないように、各テンショナプーリの揺動範囲に応じた大きさのスペースを確保する必要がある。しかし、ベルトテンショナを搭載するために確保可能なスペースは限られている。
【０００５】
本発明は、上述の課題に鑑みてなされたものであり、モータジェネレータの軸上のプーリに巻き掛けられたベルトに張力を付与するベルトテンショナを備えたベルト伝動システムにおいて、ベルトテンショナの搭載性を向上させることを目的とする。
【課題を解決するための手段】
【０００６】
本発明に係るベルト伝動システムは、モータジェネレータの軸上に取り付けられたＭＧプーリと、ＭＧプーリを含む複数のプーリの周りに巻き掛けられたベルトと、ＭＧプーリに巻き掛けられたベルトに張力を付与するベルトテンショナとを備える。ベルトテンショナは、ＭＧプーリと同一の回転軸を中心に揺動可能であって、ベルトの循環方向においてＭＧプーリの上流に配置され、モータジェネレータの回生時にベルトを張る回生側テンショナプーリと、前記回転軸を中心に揺動可能であって、ベルトの循環方向においてＭＧプーリの下流に配置され、モータジェネレータの力行時にベルトを張る力行側テンショナプーリとを有する。２つのテンショナプーリを比較すると、力行側テンショナプーリのほうが回生側テンショナプーリよりも径を小さくされている。
【発明の効果】
【０００７】
力行側テンショナプーリの生涯入力は回生側テンショナプーリの生涯入力よりも相対的に小さい。ゆえに、力行側テンショナプーリは回生側テンショナプーリよりも径を小さくすることができる。本発明に係るベルト伝動システムによれば、力行側テンショナプーリの径を小さくすることで、ベルトテンショナの搭載性を向上させることができる。
【図面の簡単な説明】
【０００８】
【図１】本発明の実施の形態に係るベルト伝動システムの構成を示す図である。
【図２】本発明の実施の形態に係るベルト伝動システムの効果を説明する図である。
【発明を実施するための形態】
【０００９】
以下、図面を参照して本発明の実施の形態について説明する。ただし、以下に示す実施の形態において各要素の個数、数量、量、範囲等の数に言及した場合、特に明示した場合や原理的に明らかにその数に特定される場合を除いて、その言及した数に、この発明が限定されるものではない。また、以下に示す実施の形態において説明する構造等は、特に明示した場合や明らかに原理的にそれに特定される場合を除いて、この発明に必ずしも必須のものではない。
【００１０】
図１は、本発明の実施の形態に係るベルト伝動システムの構成を示す図である。本実施の形態に係るベルト伝動システムは、エンジン１と、図示しないモータジェネレータと、図示しない複数の補機（例えば、空調用コンプレッサ、ウォーターポンプ、パワステポンプ等）との間でベルト伝動により動力伝達を行うシステムである。ベルト伝動システムは、エンジン１のクランク軸上に固定されたクランク軸プーリ２、モータジェネレータの軸上に固定されたＭＧプーリ３、各補機の軸上に固定された補機プーリ８、及び各プーリ２，３，８の周りに間に巻き掛けられた環状のベルト７を備える。各プーリは、ベルト７の循環方向において、クランク軸プーリ２、ＭＧプーリ３、補機プーリ８，８，８の順で設けられている。
【００１１】
ベルト伝動システムは、さらに、ベルトテンショナ９を備える。ベルトテンショナ９は、２つのテンショナプーリ４，５を有し、これらよりＭＧプーリ３に巻き掛けられたベルト７に張力を付与する。２つのテンショナプーリ４，５のうちの１つは、ＭＧプーリ３と同一の回転軸を有するテンショナプーリ支持部６を中心に揺動可能であって、ベルト７の循環方向においてＭＧプーリ３の上流に配置され、モータジェネレータの回生時にベルト７を張る回生側テンショナプーリ５である。２つのテンショナプーリ４，５のうちのもう１つは、テンショナプーリ支持部６を中心に揺動可能であって、ベルト７の循環方向においてＭＧプーリ３の下流に配置され、モータジェネレータの力行時にベルト７を張る力行側テンショナプーリ４である。
【００１２】
通常、ベルトテンショナを構成する２つのテンショナプーリは、部品種類を減らすために同じ型のプーリが用いられている。しかし、ベルトテンショナ９の２つのテンショナプーリ４，５は同じ型ではない。具体的には、力行側テンショナプーリ４の径のほうが、回生側テンショナプーリ５の径よりも小さくされている。
【００１３】
力行側テンショナプーリ４を回生側テンショナプーリ５よりも小径とする場合、懸念されることはその耐久性である。プーリのサイズは耐久性に影響するからである。しかし、本発明の発明者による研究の結果、以下の理由により、力行側テンショナプーリ４は回生側テンショナプーリ５よりも小径にできることが判明した。
【００１４】
まず、力行時と回生時とでは、ベルト７に張力を付与するテンショナプーリが異なっている。一般的には、一方のテンショナプーリでベルト７を張っている場合には、もう一方のテンショナプーリはベルト７には接触させない。ゆえに、力行時には力行側テンショナプーリ４にのみベルト７からの入力があり、回生時には回生側テンショナプーリ５のみにベルト７からの入力がある。
【００１５】
また、力行時と回生時とでは、モータジェネレータの作動条件が異なっている。具体的には、力行時は、高出力、低回転、且つ、短時間の作動であるのに対し、回生時は、低出力、高回転、且つ、長時間の作動である。このような作動条件の違いにより、２つのテンショナプーリ４，５の間には生涯入力に違いが生じる。具体的には、力行側テンショナプーリ４のほうが回生側テンショナプーリ５よりも生涯入力は相対的に小さい。生涯入力が高いほど高い耐久性が求められることから、生涯入力が相対的に小さい力行側テンショナプーリ４については、前述のように、回生側テンショナプーリ５よりも径を小さくすることができる。
【００１６】
図２は、力行側テンショナプーリ４の径を回生側テンショナプーリ５の径よりも小さくすることで得られる効果について説明する図である。モータジェネレータの作動時には、回生時・力行時ともにテンショナプーリ４，５はテンショナプーリ支持部６を中心に振れ回る。図２には、モータジェネレータの作動時に力行側テンショナプーリ４が動きうる範囲が点線で描かれ、回生側テンショナプーリ５が動きうる範囲が一点鎖線で描かれている。両者の比較から分かるように、小径の力行側テンショナプーリ４は、大径の回生側テンショナプーリ５よりも作動時に動きうる範囲が狭い。力行側テンショナプーリ４の動きうる範囲が狭くなれば、その分、他の部品と干渉しにくくなるので、ベルトテンショナ９の搭載性の向上に寄与する。
【符号の説明】
【００１７】
１  エンジン
２  クランク軸プーリ
３  ＭＧプーリ
４  力行側テンショナプーリ
５  回生側テンショナプーリ
６  テンショナプーリ支持部
７  ベルト
８  補機プーリ
９  ベルトテンショナ
【図１】
2020045990.tif 000003
【図２】
2020045990.tif 000004